(57)【要約】【課題】塗料等の液分の一時保持性能が高く、塗布残り、塗布痕等を発生すること無く、一度の液浸けのみにて、広面積の被塗装面に塗布できるハケを提供する。【解決手段】塗装等に使用されるハケにおいて、該ハケは、毛材を束ねてなるハケ部と、把持部とを有し、前記ハケ部は、前記毛材が、前記毛材の長手方向において前記把持部との取付け基部より略中間部がクリンプ状に形成されてあると共に、前記略中間部より先端部にストレート状が形成されてあるものである。【選択図】      図１
2008148903.tif 000002
【特許請求の範囲】
【請求項１】
塗装等に使用されるハケにおいて、該ハケは、毛材を束ねてなるハケ部と、把持部とを有し、前記ハケ部は、前記毛材が、前記毛材の長手方向において前記把持部との取付け基部より略中間部がクリンプ状に形成されてあると共に、前記略中間部より先端部にストレート状が形成されてあることを特徴とするハケ。
【請求項２】
前記毛材は、少なくとも前記略中間部より前記先端部が、前記先端部に近づく程前記毛材の外径が小となるテーパー形状にて形成されてあることを特徴とする請求項１に記載のハケ。
【請求項３】
前記ハケ部は、少なくとも前記把持部との取付け基部より略中間部に液分保持部材が形成されてあることを特徴とする請求項１あるいは請求項２に記載のハケ。
【請求項４】
前記液分保持部材に、液分溜り部が形成されてあることを特徴とする請求項１から請求項３に記載のハケ。
【請求項５】
前記毛材は、動物繊維にて形成されてあると共に、少なくとも前記略中間部より前記先端部がストレート状にて形成されてあることを特徴とする請求項１から請求項４に記載のハケ。
【発明の詳細な説明】
【技術分野】
【０００１】
本発明は、毛材を束ねてなるハケ部と把持部を有し、塗料等の液分の塗布等に用いられるハケに関するものである。
【背景技術】
【０００２】
従来、この種のハケには様々なものがあり、ハケを構成する毛材としては、歯ブラシ用の刷毛において、刷毛全体または刷毛先端側が刷毛先端に向かって連続的または不連続的に断面積が小さくなるテーパー形状とされているとともに、刷毛全体または刷毛の一部に二次元または三次元的なクリンプ（波状）加工が施されていることを特徴とする刷毛が発明されている。（特許文献１）
【０００３】
また、ポリエステル系モノフィラメントからなり、繊維軸方向にクリンプ加工を施したカットブリッスルの少なくとも一端に、先鋭状のテーパー部を形成したことを特徴とする歯ブラシ用毛材が発明されている。（特許文献２）
【０００４】
また、地組織の片面に立設繊維層を有し、該立設繊維層は捲縮伸長率が５〜３０％の熱融着性捲縮繊維を３０〜１００質量％の割合で含む繊維から構成されており、該立設繊維層は、その内側部分が前記熱融着性捲縮繊維の部分融着により形成された網状融着層をなし且つ該網状融着層の上部の外側部分がバルキーな嵩高層をなしていることを特徴とする塗装具用繊維構造体が発明されている。（特許文献３）
【０００５】
また、化学繊維からなるウエーブ繊維を採用した塗装用刷毛が商品化されている。
【０００６】
【特許文献１】特開２００３−２４５１３４号公報
【特許文献２】特開２００３−２２５１２３号公報
【特許文献３】特開２００２−３０２８６３号公報
【発明の開示】
【発明が解決しようとする課題】
【０００７】
しかしながら、上記特許文献１に記載された従来の刷毛及び、これを用いた歯ブラシは、用途が歯ブラシであり、クリンプは毛抜け強度を高める目的の為に施されてあると共に、ストレートテーパー部は毛先の進入性を高める目的の為に施されてある。その為、植毛された多数本の刷毛間に形成された隙間は、洗浄水等の液分が一時保持される構造とはなっていなかった。
【０００８】
また、特許文献２に記載された歯ブラシ用毛材に関しても、用途が歯ブラシであり、クリンプ部分は歯の表面の清掃効果を高める目的の為に施されてあると共に、テーパー部は歯と歯の隙間の清掃効果を高める目的の為に施されてある。その為、上記特許文献１と同様、多数本の毛材に形成された隙間は、洗浄水等の液分が一時保持される構造とはなっていなかった。
【０００９】
また、特許文献３に記載された塗装具用繊維構造体は、網状融着層により塗料の保持性能は有しているが、立設繊維層の高さが３〜２０ｍｍの為、ペイントローラー等には使用可能であるが、塗料等を一旦、多数本に束ねられた毛材に含浸させた後、被塗装面等にたいして毛材を当接させたまま連続的に拭くように塗布する目的に用いられるハケには適さない構造であった。
【００１０】
また、商品化されている化学繊維からなるウエーブ繊維を採用した塗装用刷毛は、毛材の根元部から先端部がクリンプ加工後の形状と略同一のウエーブ形状が形成されてあると共に、先端部にかけて先細形状になっている。その為、液分は、ストレート状の毛材に比べてより多くの液分を一時保持出来る構造となっていた。しかし、先端部までウエーブ形状の為、一度ハケ部に保持された液分を、塗布する場合において、保持された液分がウエーブ形状にて乱流となり、毛材先端にて整流することが無い。その為、塗膜面に略筋状の塗布残り、塗布痕等が発生し易く、塗布にムラ等が発生する構造を有していた。
【００１１】
本発明は、前記従来の課題を解決するもので、塗料等の液分の一時保持性能が高く、塗布残り、塗布痕等を発生すること無く、一度の液浸けのみにて、広面積の被塗装面に塗布できるハケを提供する事を目的とする。
【課題を解決するための手段】
【００１２】
請求項１の発明は、塗装等に使用されるハケにおいて、該ハケは、毛材を束ねてなるハケ部と、把持部とを有し、前記ハケ部は、前記毛材が、前記毛材の長手方向において、前記把持部との取付け基部より略中間部がクリンプ状に形成されてあると共に、前記略中間部より先端部にストレート状が形成されてあることに特徴を有する。その為、塗料等は、クリンプ状の部分にて、液分が一時保持されて、保持された液分は、ストレート状の部分にて整流された後、毛材先端に達した後、塗布される。その為、ハケは、塗布残り、塗布痕を発生すること無く、一度の液浸けのみにて、広面積の被塗装面に塗布される。また、前記毛材の製法については、長手方向が全てクリンプ状の毛材を、略中間部から先端部まで、ストレート状に加工する製法、あるいは、長手方向が全てストレート状の毛材を取付け基部から略中間部までクリンプ状に加工する製法が採用できる。尚、ハケは略中間部より先端部にストレート状が形成されてあるが、ストレート状は毛材の略中間部より先端部の全域に渡り形成されてある形態以外にも、例えば、毛材の略中間部より先端部にかけて所定の長さだけストレート状であると共に、ストレート状の端部より先端部までは先端部に近づく程毛材の外径が小となるテーパー形状に形成されてある形態、毛材の略中間部より先端部に渡り、ストレート状、及びテーパー形状が組み合されて形成されてある形態も、本発明の主旨に含まれる。
【００１３】
請求項２の発明は、請求項１の発明において、前記毛材は、少なくとも前記略中間部より前記先端部が、前記先端部に近づく程前記毛材の外径が小となるテーパー形状にて形成されてあることに特徴を有する。その為、テーパー形状の無い場合に比べて、保持された液分が毛材先端部に移動し易くなる為、広面積の被塗装面にたいしてもより均一に塗布される。また、細部の隙間、凹凸部にたいしても毛材先端部が入り込む為、塗料等の液分の塗り残し、ムラ等が発生することがない。尚、テーパー形状は、少なくとも略中間部より先端部に形成されてあるが、クリンプ状の略中間部より取付け基部にかけて所定の長さだけテーパー形状が形成されてある形態、略中間部より取付け基部の全域に渡りテーパー形状が形成されてある形態も、本発明の主旨に含まれる。
【００１４】
請求項３の発明は、請求項１あるいは、請求項２の発明において、前記ハケ部は、少なくとも前記把持部との取付け基部より略中間部に液分保持部材が形成されてあることに特徴を有する。その為、液分保持部材にて、塗料等の液分は、抱え込まれて保持され、保持された塗料等の液分は、徐々に毛材を通じて塗布される。その為、液分保持部材の無いハケに比べて、より多量の液分を保持できる。その為、一度の液浸けのみにて、より広面積の被塗装面に塗布される。
【００１５】
請求項４の発明は、請求項１から請求項３の発明において、前記液分保持部材に、液分溜り部が形成されてあることに特徴を有する。その為、塗料等の液分は、液分溜り部に保持される。その為、塗料等の液分の保持性能が液分溜り部が無い保持部材に比べてより飛躍的に向上することにより、一度の液浸けのみにて、広面積の被塗装面に塗布される。
【００１６】
請求項５の発明は、請求項１から請求項４の発明において、前記毛材は、動物繊維にて形成されてあると共に、少なくとも略中間部より前記先端部がストレート状にて形成されてあることに特徴を有する。その為、動物繊維のほとんどは、自然に育毛していく為、毛材の太さ、成長の速さ等が微妙に変化する為に、クリンプ状に形成される。その為、ストレート状に加工するのみにて、毛材は、クリンプ状及び、ストレート状を有することができる。また、保持された液分は、ストレート状にて整流した後、毛材先端に達する為、塗料等の液分は、塗装ムラ等が発生すること無く塗布される。
【発明の効果】
【００１７】
請求項１から請求項４の発明においては、塗料等の液分の一時保持性能が高いと共に、塗布残り、塗布痕を発生すること無く、一度の液浸けのみにて、広面積の被塗装面に塗布できるので、作業性が大幅に向上する。また、請求項５の発明においては、動物繊維が有するクリンプ状を使用できる為、クリンプ加工の必要がないので安価に優れたハケができる。
【発明を実施するための最良の形態】
【００１８】
第１の発明は、ハケが、毛材を束ねてなるハケ部と、把持部とを有し、前記ハケ部は、前記毛材が、前記毛材の長手方向において前記把持部との取付け基部より略中間部がクリンプ状に形成されてあると共に、前記略中間部より先端部にストレート状が形成されてある。その為、前記ハケのクリンプ状は、塗料等の液分の一時保持性能がストレート状に比べて高いと共に、保持された液分が、ストレート状にて、例えば習字の筆の如く整流されて、毛材先端に達する為、塗布残り、塗布痕を発生すること無く、一度の液浸けのみにて、広面積の被塗装面に塗布できる。その為、被塗装面の精密な仕上げの塗布作業であっても、迅速かつ容易にできる。また、クリンプ状は、被塗装面からの衝撃を吸収することができる為、細かな凹凸部にたいしても、均一に塗布できる。
【００１９】
第２の発明は、第１の発明において、前記毛材が、少なくとも前記略中間部より前記先端部が前記先端部に近づく程前記毛材の外径が小となるテーパー形状にて形成されてある為、テーパー形状の無い場合に比べて、保持された液分が毛材先端部に移動し易くなる為、より広面積の被塗装面にたいしてもより均一に塗布できる。また、細部の隙間、凹凸部にたいしても毛材先端部が入り込む為、塗料等の液分の塗り残し、ムラ等が発生することなく塗布できる。その為、被塗装面の塗布作業を、より迅速かつ容易にできる。
【００２０】
第３の発明は、第１あるいは第２の発明において、前記ハケ部が、少なくとも前記把持部との取付け基部より略中間部に液分保持部材が形成されてある。その為、液分保持部材にて、塗料等の液分は、抱え込まれて保持され、保持された塗料等の液分は、徐々に毛材を通じて塗布できる。その為、液分保持部材の無いハケに比べて、より多量の液分を保持できる。その為、一度の液浸けのみにて、より広面積の被塗装面に塗布することができる。その為、被塗装面の塗布作業において大幅に迅速かつ容易に作業ができる。
【００２１】
第４の発明は、第１から第３の発明において、前記液分保持部材に、液分溜り部が形成されてある。その為、塗料等の液分は、液分溜り部に保持できる。その為、塗料等の液分の保持性能が液分溜り部が無い保持部材に比べてより飛躍的に向上することにより、一度の液浸けのみにて、広面積の被塗装面に塗布することができる。その為、被塗装面の塗布作業において飛躍的に迅速かつ容易に作業ができる。
【００２２】
第５の発明は、第１から第４の発明において、前記毛材が、動物繊維にて形成されてあると共に、少なくとも略中間部より前記先端部がストレート状にて形成されてある。その為、動物繊維のほとんどは、自然に育毛していく為、毛材の太さ、成長の速さ等が微妙に変化する為に、クリンプ状に形成される。その為、ストレート状に加工するのみにて、毛材は、クリンプ状及び、ストレート状を有することができる。また、保持された液分は、ストレート状にて整流した後、毛材先端に達する為、塗料等の液分は、塗装ムラ等が発生すること無く塗布される。また、動物繊維のほとんどは、自然に育毛していく為、毛材の太さ、成長の速さ等が微妙に変化する為に、クリンプ状に形成される為、クリンプ加工の必要が無い。その為、安価に優れたハケができる。
【００２３】
以下、本発明の実施の形態について、図面を参照しながら説明する。なお、この実施の形態によって本発明が限定されるものではない。
【００２４】
（実施例１）
図１から図３にて実施例１を示す。図１は、本発明の実施例１におけるハケの正面図、図２は、本発明の実施例１における毛材の正面図、図３は実施例１の他の実施の形態における毛材の正面図である。
【００２５】
図１から図２において、ハケ１は、把持部２と、ハケ部３から形成されてあり、ハケ部３は、多数本の合成樹脂フィラメントの毛材５を束ねて形成されてあり、把持部２に形成された凹部５０にたいしてハケ部３の一端を接着して接合されている。ハケ１は、液分の塗布等に使用するものであり、本発明のハケ１を構成する毛材５は以下の特徴を有するものである。
【００２６】
図２において、毛材５は、把持部２に形成された凹部５０に取付けられた基部１０より略中間部２０が毛材５の長手方向においてクリンプ状６に形成されてあると共に、略中間部２０より先端部３０がストレート状７にて形成されてある。
【００２７】
また、毛材５の材質は、合成樹脂モノフィラメントが使用されてあり、使用目的に応じて、ポリエチレン、ポリプロピレン、ポリスチレン等のポリオレフィン系樹脂、ナイロン６、ナイロン６６、ナイロン６１０、ナイロン６１２等のポリアミド系樹脂、ポリエチレンテレフタレート、ポリブチレンテレフタレート、ポリトリメチレンテレフタレート等のポリエステル系樹脂、アクリル樹脂、ウレタン樹脂等の材質の合成樹脂モノフィラメントを採用できる。
【００２８】
本発明の実施例１におけるハケ１は、以上のように構成されているので、ハケ１は、毛材５を束ねてなるハケ部３と、把持部２とを有し、ハケ部３は、毛材５が、把持部２との取付け基部１０より略中間部２０が毛材５の長手方向においてクリンプ状６に形成されてあると共に、略中間部２０より先端部３０にストレート状７が形成されてある。その為、塗料等は、クリンプ状６の部分にて、液分が一時保持されて、保持された液分は、ストレート状７の部分にて整流された後、毛材５の先端部３０に達した後、塗布される為、ハケ１は、塗布残り、塗布痕を発生すること無く、一度の液浸けのみにて、広面積の被塗装面に塗布できる。その為、被塗装面の精密な仕上げの塗布作業であっても、迅速かつ容易にできる。また、クリンプ状６は、被塗装面からの衝撃を吸収することができる為、細かな凹凸部にたいしても、均一に塗布できると共に、円滑且つ、綺麗に塗布することが出来る。
【００２９】
次に、図３にて実施例１の他の実施の形態における毛材について説明する。
【００３０】
図３において、毛材１５は、少なくとも略中間部２０より先端部３０が先端部３０に近づく程、毛材１５の外径が小となるテーパー形状１７にて形成されてあるものである。
【００３１】
本発明の実施例１の他の実施の形態は、以上のように構成されているので、毛材１５は、少なくとも略中間部２０より先端部３０が、先端部３０に近づく程、毛材１５の外径が小となるテーパー形状１７にて形成されてある。その為、テーパー形状１７の無い場合に比べて、保持された液分が毛材１５の先端部３０に移動し易くなる為、広面積の被塗装面にたいしてもより均一に塗布される。また、細部の隙間、凹凸部にたいしても毛材１５の先端部３０が入り込む為、塗料等の液分の塗り残し、ムラ等が発生することがない。その為、より作業効率が良い塗布作業が出来ると共に、円滑且つ、綺麗に塗布することが出来る。
【００３２】
（実施例２）
図４から図６にて実施例２を示す。図４は、本発明の実施例２におけるハケの正面図、図５（Ａ）から（Ｃ）は実施例２の他の実施の形態における液分保持部材の正面図、図６は実施例２の他の実施の形態における毛材の正面図である。
【００３３】
図４から図６において、ハケ１１は、把持部２と、ハケ部１３から形成されてあり、ハケ部１３は、少なくとも把持部２との取付け基部１０より略中間部２０に不織布からなる平板形状の液分保持部材８が形成されてあり、液分保持部材８の一端が、把持部２に形成された凹部５０に接着にて接合されてある。
【００３４】
本発明の実施例２は、以上のように構成されているので、ハケ部１３は、少なくとも把持部２との取付け基部１０より略中間部２０に液分保持部材８が形成されてある。その為、液分保持部材８にて、塗料等の液分は、抱え込まれ保持され、保持された塗料等の液分は、徐々に毛材１５を通じて塗布できる。その為、液分保持部材８の無いハケに比べて、より多量の液分を保持できる。その為、一度の液浸けのみにて、より広面積の被塗装面に塗布することができる。その為、被塗装面の塗布作業が大幅に迅速かつ容易にできる。その為、塗布作業の効率が格段に向上する。
【００３５】
液分保持部材８は、ハケ部１３に形成されてある形態としては、図４の如く、液分保持部材８が、多数本の毛材１５に挟み込まれてある形態以外にも、たとえば、液分保持部材８を多数本の毛材１５の少なくとも片側に形成する形態、両側から毛材１５を挟み付ける形態等も採用できる。
【００３６】
また、液分保持部材８は、上記の如く、１枚の液分保持部材８のみならず、たとえば、多数枚の平板形状からなる液分保持部材８をハケ部１３に形成する形態も採用できる。
【００３７】
また、液分保持部材８の材質は不織布以外にも、使用目的に応じて、織布、編物等の布帛、独立気泡あるいは、連続気泡を有する合成樹脂発泡体、フィルム状樹脂組成物、人工皮革、合成皮革、合成ゴム、ポリエステル系樹脂、アクリル樹脂、ウレタン樹脂等の合成樹脂板等を採用できる。
【００３８】
次に、図５にて、実施例２の他の実施の形態の液分保持部材について説明する。
【００３９】
図５において、（Ａ）は、液分保持部材１８であり、網目を有するメッシュ素材を使用した平板形状にて形成されてある。また、網目の空隙は、液分溜り部９として形成されてある。また、（Ｂ）は、液分保持部材２８は、エンボス加工された平板形状にて形成されてある。また、エンボス加工により形成された凹部は、液分溜り部１９として形成されてある。また、（Ｃ）において、液分保持部材３８は、平板形状にて形成されてあり、液分溜り部２９、３９、４９は、穴、切欠き等からなる空隙にて形成されてある。
【００４０】
液分保持部材１８、２８、３８は、液分溜り部９、１９、２９、３９、４９に液分が入り込み保持することが出来る。その為、液分保持部材１８は、液分溜り部９が網目の空隙から形成されてある為、液分を均一且つ、多量に保持することができる。また、液分保持部材２８は、液分溜り部１９がエンボス加工による凹部から形成されてある為、エンボス加工による凹部の縦、横、深さ等の寸法により決められる容積を設定することにより、液分の保持量を設定することができる。また、液分保持部材３８は、液分溜り部２９、３９、４９が穴、切欠き等からなる空隙にて形成されてある為、液分溜り部２９、３９は保持された液分が切欠きから毛材１５に伝わり被塗装面に徐々に流れ出ることができる。また液分保持部材３８の液分溜り部４９は保持された液分が一時保持されると共に、毛材１５に伝わり流れ出ることができる。
【００４１】
本発明の実施例２は、以上のように構成されているので、液分保持部材１８、２８、３８に、液分溜り部９、１９、２９、３９、４９が形成されてある。その為、塗料等の液分は、液分溜り部９、１９、２９、３９、４９に保持できる。その為、ハケ１１は、一度の液浸けにより液分溜り部９、１９、２９、３９、４９の容量だけ液分の保持量が増加する為、液分溜り部９、１９、２９、３９、４９が無い保持部材に比べてより飛躍的に向上する。その為、一度の液浸けのみにて、広面積の被塗装面に塗布することができる。その為、塗布作業の効率が飛躍的に向上する。
【００４２】
次に、図６にて実施例２の他の実施の形態における毛材について説明する。
【００４３】
図６において、毛材２５は、動物繊維にて形成されてあると共に、少なくとも略中間部２０より先端部３０がストレート状２７にて形成されてある。また、ストレート状２７は、火のし加工、ボイル等にて、ストレート状２７になるよう加工されてあり、クリンプ状２６は、動物繊維のほとんどは、自然に育毛していく為、毛材２５の太さ、成長の速さ等が微妙に変化する為に、クリンプ状２６に形成される。また、火のし加工とは、毛材２５に熱を加えながら加圧する加工である。ボイルとは、毛材２５に蒸気をかけて伸ばす加工である。また、ハケに使用される動物繊維からなる毛材２５としては、馬毛、山羊毛、豚毛、狸毛等が使用可能であり、毛材２５はあらかじめクリンプ状２６を有している。
【００４４】
本発明の実施例２は、以上のように構成されているので、毛材２５は、動物繊維にて形成されてあると共に、少なくとも略中間部２０より先端部３０がストレート状２７にて形成されてある。その為、動物繊維のほとんどは、自然に育毛していく為、毛材２５の太さ、成長の速さ等が微妙に変化する為に、クリンプ状２６に形成される。その為、ストレート状２７に加工するのみにて、毛材２５は、クリンプ状２６及び、ストレート状２７を有することができる。また、保持された液分は、ストレート状２７にて整流した後、毛材２５の先端部３０に達する為、塗料等の液分は、塗装ムラ等が発生すること無く塗布される。また、動物繊維があらかじめクリンプ状２６が形成されてある為、クリンプ加工の必要が無い。その為、生産コストを大幅に下げることが出来るものである。
【産業上の利用可能性】
【００４５】
以上のように、本発明にかかるハケは、塗料の塗付性能に優れたもので、各種用途に広く適用できるものである。
【図面の簡単な説明】
【００４６】
【図１】本発明の実施例１におけるハケの正面図
【図２】本発明の実施例１における毛材の正面図
【図３】本発明の実施例１の他の実施の形態における毛材の正面図
【図４】本発明の実施例２におけるハケの正面図
【図５】（Ａ）から（Ｃ）は実施例２の他の実施の形態における液分保持部材の正面図
【図６】本発明の実施例２の他の実施の形態における毛材の正面図
【符号の説明】
【００４７】
１、１１  ハケ
２  把持部  
３、１３  ハケ部
５、１５、２５  毛材
６、１６、２６  クリンプ状
７、２７  ストレート状
１７  テーパー形状
８、１８、２８、３８  液分保持部材
９、１９、２９、３９、４９  液分溜り部
１０  基部
２０  略中間部
３０  先端部
５０  凹部
【図１】
2008148903.tif 000003
【図２】
2008148903.tif 000004
【図３】
2008148903.tif 000005
【図４】
2008148903.tif 000006
【図５】
2008148903.tif 000007
【図６】
2008148903.tif 000008